(57)【要約】【課題】騒音防止性に優れるとともに、ＭＤプレイヤーなどの携帯型録音機にライン入力可能な高付加価値のカラオケ用マルチフォンシステムを提供する。【解決手段】携帯型録音機にライン入力可能なカラオケ用マルチフォンシステムが、１）．カラオケ装置（１０）の音声出力源からの出力信号を入出力する機能と電源供給機能を有するマスター電源装置（１）、２）．前記マスター電源装置（１）に接続されたバスライン（２）、３）．前記バスライン（２）に所望の数だけ並列に接続され、前記出力信号をヘッドフォン（４）に出力するヘッドフォン用端子（３ａ）及び携帯型録音機にライン入力する録音用端子（３ｂ）を有するヘッドアンプ（３）、４）．前記所望の数のヘッドアンプ（３）のそれぞれに接続されるヘッドフォン（４）及び携帯型録音機（５）、とから構成されることを特徴とする携帯型録音機にライン入力可能なカラオケ用マルチフォンシステム。【選択図】  図１
2004191693.tif 000002
【特許請求の範囲】
【請求項１】
携帯型録音機にライン入力可能なカラオケ用マルチフォンシステムが、
１）．カラオケ装置（１０）の音声出力源からの出力信号を入出力する機能と電源供給機能を有するマスター電源装置（１）、
２）．前記マスター電源装置（１）に接続されたバスライン（２）、
３）．前記バスライン（２）に所望の数だけ並列に接続され、前記出力信号をヘッドフォン（４）に出力するヘッドフォン用端子（３ａ）及び携帯型録音機にライン入力する録音用端子（３ｂ）を有するヘッドアンプ（３）、
４）．前記所望の数のヘッドアンプ（３）のそれぞれに接続されるヘッドフォン（４）及び携帯型録音機（５）、
とから構成されることを特徴とする携帯型録音機にライン入力可能なカラオケ用マルチフォンシステム。
【請求項２】
携帯型録音機（５）が、ＭＤプレイヤーまたはカセットプレイヤーである請求項１に記載のカラオケ用マルチフォンシステム。
【請求項３】
携帯型録音機（５）がＭＤプレイヤーである場合、ＭＤプレイヤーのライン入力端子とヘッドアンプ（３）の録音用端子（３ｂ）が接続される請求項１に記載のカラオケ用マルチフォンシステム。
【請求項４】
携帯型録音機（５）がカセットプレイヤーである場合、カセットプレイヤーのマイク入力端子とヘッドアンプ（３）の録音用端子（３ｂ）が接続される請求項１に記載のカラオケ用マルチフォンシステム。
【発明の詳細な説明】
【０００１】
【発明の属する技術分野】
本発明は、カラオケ装置に関するものである。
更に詳しくは、本発明は、カラオケ装置の騒音防止、利用者のモニター効果、更には高音質の録音が可能であり利用者の歌唱力向上等に資することができる高付加価値のカラオケ装置に関するものである。
【０００２】
【従来の技術】
近年、ますます普及してきたカラオケ装置は、騒音クレームが増大しており大きな社会問題となっている。その一方で、カラオケ愛好者からは音響効果が不十分であり、例えば伴奏音楽のステレオ効果をもっと生かして臨場感を出せないかなどという要求がある。
【０００３】
また、カラオケ装置を通じて歌唱力を向上させたいなどという要求があるが、カラオケ装置からの伴奏音はカラオケ装置がセットされている場内又は室内スピーカによって音声出力されているため（これが騒音の元凶であることはいうまでもないことである。）、伴奏音を耳もとでモニターすることができないためスタジオなみの効果や歌唱力の向上には限界がある。
【０００４】
更には、カラオケ愛好者が自分の歌った音声を録音し、これをベースにして歌唱力の向上等を図ろうとする場合、既存のＭＤプレイヤーやカセットプレイヤー（カセットテーププレイヤー、テープレコーダー）では付属部品の外部マイクを介して録音することになるが、この場合、必要のない雑音（話し声、拍手等）を丸ごと録音していまうため、高音質の録音が不可能であるという問題がある。
【０００５】
【発明が解決しようとする課題】
現在市販あるいは提案されているカラオケ装置において、前記したニーズに対して十分に応えるものがなく、これらのニーズに応えることは騒音防止などの社会的な面からも意義のあることである。
また、最近においては、ＭＤプレイヤーあるいはカセットプレイヤーなどの携帯型録音機の所持率が高く、カラオケ愛好者（利用者）においても同じであり、カラオケ愛好者が自分の歌唱力等を向上させようとしてこれらの機器に自分の音声をカラオケ場内において録音する場合、前記した欠点に対面するため、その解決策が待たれている。
【０００６】
本発明者は、前記した従来のカラオケ装置の欠点を解決すべく鋭意検討を加えた。
その結果、本発明者は、カラオケ装置を利用する場合、利用者はヘッドフォンを介して発声（音）するとともに、この発声信号と伴奏音楽信号を直接、カラオケ場内に出力するほかに、中央の制御装置に接続されたメインのバスラインを介して並列的に多数接続された端末ヘッドフォンを通じて出力するようにすると、例えば利用者及びほかの顧客が端末ヘッドフォンのみを使用する場合、騒音防止効果、音質（ステレオ）効果、モニター効果に優れ、かつ、端末ヘッドフォンへの入力信号をＭＤプレイヤーなどの携帯型録音機にライン入力させたときは雑音カットと同時に高音質の録音が可能である、という種々の優れた特徴を有するカラオケシステムが得られるという知見を見い出した。
【０００７】
本発明は、前記知見をベースに完成されたものであり、本発明により高付加価値の携帯型録音機にライン入力可能なカラオケ用マルチフォンシステムが提供される。
【０００８】
本発明を概説すれば、本発明は、携帯型録音機にライン入力可能なカラオケ用マルチフォンシステムが、
１）．カラオケ装置（１０）の音声出力源からの出力信号を入出力する機能と電源供給機能を有するマスター電源装置（１）、
２）．前記マスター電源装置（１）に接続されたバスライン（２）、
３）．前記バスライン（２）に所望の数だけ並列に接続され、前記出力信号をヘッドフォン（４）に出力するヘッドフォン用端子（３ａ）及び携帯型録音機にライン入力する録音用端子（３ｂ）を有するヘッドアンプ（３）、
４）．前記所望の数のヘッドアンプ（３）のそれぞれに接続されるヘッドフォン（４）及び携帯型録音機（５）、
とから構成されることを特徴とする携帯型録音機にライン入力可能なカラオケ用マルチフォンシステムに関するものである。
【０００９】
以下、本発明の技術的構成及び実施態様について図面を参照して詳しく説明する。
なお、本発明は、図示のものに限定されてないことはいうまでもないことである。
【００１０】
図１は、本発明の携帯型録音機にライン入力可能なカラオケ用マルチフォンシステムのブロック図である。
カラオケ装置（１０）の内部構造は、既知の構造のものであり、例えば選曲及び画面（ＣＲＴ）表示機能、マイクロフォンによる利用者の音声入力、アンプ、スピーカーによる伴奏音及び利用者の音声の出力、などの機能をもった既知の構造のものである。なお、マイクロフォンは、後述するヘッドアンプ（３）に配設してもよいものである。
【００１１】
マスター電源装置（１）は、システム全体の電力供給とカラオケ装置（１０）本体からのカラオケ出力装置（Ｌ／Ｒ）を入力し、後述するバスライン（２）に出力するものである。
なお、本発明において、マスター電源装置（１）は、カラオケ装置（１０）本体に組込んでもよいものである。
【００１２】
カラオケ装置（１０）からの出力信号は、伴奏音と歌唱者の音声に関する出力信号であり、これがマスター電源装置（１）に入力される。
マスター電源装置（１）は、前記受信信号をメインのバスライン（２）を介して、これに並列接続された所望の数のヘッドアンプ（３，３１，……３ｎ）に送信する機能と、図示されているようにＴＲ（トランス）、３端子レギュレイターＩＣなどにより交流を直流化してヘッドアンプ（３，３１，……３ｎ）をドライブさせるための電源を供給する機能などを有するものである。なお、マスター電源装置（１）は入力／出力信号のインピーダンス変換によりバッファー効果を持たせても良い。
【００１３】
前記バスライン（２）に並列して所望の数だけ接続されたヘッドアンプ（ＨＡ）（３）は、
１）．バスライン（２）からの入力信号を取入れるための接続部、
２）．バスライン（２）からの入力信号を可変抵抗（ＶＲ）、例えば２０Ｋ（ＶＲ）で音量を調整する機能、
３）．ヘッドアンプ（ＨＡ）を起動させるためのアンプ、
４）．後述するヘッドフォン（４）へ音声信号を出力するためのヘッドフォン用端子（３ａ）、
５）．後述するＭＤプレイヤー等の携帯型録音機に音声信号を出力するための録音用端子（３ｂ）、
などで構成される。
【００１４】
ヘッドアンプ（ＨＡ）（３）において、バスライン（２）との接続は、例えば５ＰＩＮＤＩＮコード、具体的にはＬチャンネル／＋１５Ｖ  Ｖｃｃ／Ｒチャンネル／Ｒチャンネル／ＧＮＤ（アース）／Ｌチャンネルで接続すればよい。
また、ヘッドアンプ（ＨＡ）（３）において、前記アンプとしては例えばパワーＩＣ（例えばサンヨー社製のモリシックＩＣ，ＬＡ４１７０）を有するもので構成し、また各ヘッドアンプ（３、３１、３２、……３ｎ）としては例えば電源電圧１５Ｖ、周波数特性５０〜１００ＫＨｚ（−３ｄＢ）、歪率０．５％、入力抵抗３０ＫΩ、入力電圧３００ｍＶ、チャンネル分離度（ステレオ特性）−７０ｄＢの特性を持つように構成すればよい。
【００１５】
本発明において、バスライン（２）に所望の数だけ並列接続されたヘッドアンプ（ＨＡ）（３，３１，………３ｎ）に対応させて、ヘッドフォン用端子（３ａ）を介してヘッドフォン（４、４１………４ｎ）が接続される。
各ヘッドフォン（４）としては、市販のものを用いればよい。いうまでもないことであるが、ステレオ効果を出すには、ステレオ特性の優れたヘッドフォンを用いれば良い。
なお、図１に示されているようにある１つのヘッドアンプ（３）に対して２以上のヘッドフォン（４）を接続しても良い。
【００１６】
本発明において、バスライン（２）に所望の数だけ並列接続されたヘッドアンプ（ＨＡ）（３、３１、………３ｎ）に対応させて、録音用端子（３ｂ）を介してＭＤプレイヤーなどの携帯型録音機（５）が接続される。
各ヘッドアンプ（ＨＡ）（３）と携帯型録音機（５）の接続は、
１）．ＭＤプレイヤーの場合、ヘッドフォン（３）側の録音用端子（３ｂ）とＭＤプレイヤー側のライン入力端子を所望のリード線で接続し、また、
２）．カセットプレイヤーの場合、ヘッドフォン（３）側の録音用端子（３ｂ）とカセットプレイヤー側のマイク入力端子を所望のリード線で接続する、
ことにより行えばよい。
カラオケ場内などでの雑音をカットするとともに高音質の録音をするためには、前記した接続態様は重要であり、ＭＤプレイヤー等に備え付けられた音声入力専用の外部マイクからの録音では初期の目的を達成することができない。
なお、図１に示されているように、ある１つのヘッドアンプ（３）に対して２以上の携帯型録音機を接続しても良い。
【００１７】
【発明の効果】
本発明の携帯型録音機のライン入力可能なカラオケ用マルチフォンシステムには、以下の優れた作用効果がある。
(1).本発明において、カラオケ利用者は、ヘッドフォンを使用してステレオ効果が十分にある音質の伴奏音及び利用者の発生音を耳にしながらマイクをもって歌唱することができる。このときカラオケ装置の使い方としては、騒音規制内であれば伴奏音や歌唱者のマイク入力音声をカラオケ装置を設置している場内または室内に流すようにしても良いし、極端な場合には音声出力を完全に絞って場内または室内に流さないようにし、カラオケ利用者の全ての人がヘッドフォンでカラオケを楽しむようにしても良い。この場合、騒音防止において格段の効果をあげることができる。なお、騒音規制内でカラオケ伴奏音及び利用者の発声音が聞ける場合、特にヘッドフォンを使用しなくてもよいが、ヘッドフォンによるステレオ効果が十分な音質の伴奏音を楽しめることができなくなる。
【００１８】
(2).本発明において、カラオケ装置などの音声出力源からの入力信号を、１つのマスター電源装置に入力し、メインのバスラインにより親子送り的に複数の端末ヘッドフォンに信号を送信する方式であるため、１ラインに所望の数のヘッドフォンを接続することができる。従ってカラオケ業者は既存のカラオケ装置本体を何等改造することなく、本発明のシステムを付加するだけで騒音防止効果はもとより高付加価値のサービスを提供することができる。
【００１９】
(3).本発明において、カラオケ装置を利用するとき、歌唱者はヘッドフォンにより伴奏音楽を聞きながら歌唱することができるため、スタジオなみの効果があるとともに歌唱力を向上させることができる。即ち、通常のカラオケ装置の利用態様においては、利用者はスピーカによる音源をモニターしながら歌唱しているが、この音は広い空間を通して反響しているためあまり自分の参考にはならない。この点本発明においてはスピーカ出力をヘッドフォンを介して直接モニターするため前記した効果を得ることができ、かつ同時に多数の人々が利用できるという効果がある。
【００２０】
(4).本発明において、カラオケ利用者（愛好者）が歌唱力の向上等のために市販のＭＤプレイヤーなどの携帯型録音機を用いて録音する場合に、大きなメリットが提供される。
カラオケ利用者（愛好者）が、歌唱力向上や練習等のために市販のＭＤプレイヤーあるいはカセットプレイヤーを用いてカラオケ店内で自分の歌った音声を録音する場合、現状ではそれぞれの機器に付属された専用入力マイク（外部マイクロフォン）で録音するしかない。この場合、必要のない雑音（話し声、拍手等）を丸ごと録音してしまうという大きな欠点がある。
これに対して、本発明のカラオケ用マルチフォンシステムの録音方式は、メインのバスラインに並列接続されたヘッドアンプに送信された音声出力信号を各ヘッドアンプの録音用端子を介してＭＤプレイヤーなどの携帯型録音機にライン入力により録音するため、雑音カットと同時に高音質の録音が可能となる。
なお、音声入力用のマイクロフォンとして、より指向性の優れたマイクロフォンを用いれば格段に録音特性が向上するが、市販の通常レベルのマイクロフォンであっても、十分に初期の目的を達成することができる。
【図面の簡単な説明】
【図１】本発明の携帯型録音機にライン入力可能なカラオケ用マルチフォンシステムを示すブロック図である。
【符号の説明】
１０  …………  カラオケ装置
１    …………  マスター電源装置
２    …………  バスライン
３    …………  ヘッドアンプ（ＨＡ）
３ａ  …………  ヘッドフォン用端子
３ｂ  …………  録音用端子
４    …………  ヘッドフォン
５    …………  携帯型録音機
【図１】
2004191693.tif 000003